(57)【特許請求の範囲】
【請求項１】
既設巾木の前面及び上端面を覆って備え付けられるリフォーム用巾木材であって、
鉛直側巾木構成体と水平側巾木構成体とを有しており、
鉛直側巾木構成体は、
既設巾木の前面への添装面部と、
既設フロア上にはり込まれる新設の床材により形成される新設フロア面に対する突き当て面部と、
既設巾木の上端面より上方に延びる上部とを備えており、
水平側巾木構成体は、
第一板部と、
この第一板部の外面との間にほぼ直角の外隅部を形成させる外面及び第一板部の内面との間にほぼ直角の内隅部を形成させる内面を備えてこの第一板部に連接された第二板部とを備えており、
鉛直側巾木構成体の上部と壁面との間に入れ込まれる水平側巾木構成体の第一板部及び第二板部のいずれか一方の外面が壁面への添装面部とされると共に、
この第一板部及び第二板部の他方の内面が鉛直側巾木構成体の上端面への突き当て面部とされることを特徴とするリフォーム用巾木材。
【請求項２】
水平側巾木構成体の第一板部の板厚と第二板部の板厚とが異なっていることを特徴とする請求項１記載のリフォーム用巾木材。
【請求項３】
一面側に、鉛直側巾木構成体の上部と壁面との間に入れ込まれる水平側巾木構成体の第一板部及び第二板部のいずれか一方の内面への接着面部を備えると共に、
他面側に、水平側巾木構成体の第一板部及び第二板部のいずれか一方の内面に向き合う鉛直側巾木構成体の上部の内面への接着面部を備えたクッション材を有していることを特徴とする請求項１又は請求項２記載のリフォーム用巾木材。
【請求項４】
請求項１又は請求項２記載のリフォーム用巾木材を用いたリフォーム方法であって、
既設フロア上に新設の床材をはり込んで新設フロア面を形成させた後、
鉛直側巾木構成体の突き当て面部を新設フロア面に突き当てさせ、かつ、この鉛直側巾木構成体の添装面部を既設巾木の前面に添装接着させ、
次いで、鉛直側巾木構成体を既設巾木側に既設巾木の上端面よりも下方において釘打ちし、
次いで、鉛直側巾木構成体の上部と壁面との間に水平側巾木構成体の第一板部及び第二板部のいずれか一方を入れ込み、
この後、既設巾木の上端面の上方において鉛直側巾木構成体の上部とこの鉛直側巾木構成体の上部と壁面との間に入れ込まれた水平側巾木構成体の第一板部及び第二板部のいずれか一方とを一緒に壁面側に釘打ちすることを特徴とするリフォーム方法。
【発明の詳細な説明】
【０００１】
【発明の属する技術分野】
この発明は、既設の床材の上に新設の床材をはり込んで行う方式のリフォームにおいて、既設巾木を取り外すことなく、このリフォームを適切に行えるようにするために用いられるリフォーム用巾木材およびこの巾木材を用いたリフォーム方法に関する。
【０００２】
【従来の技術】
既設の床材の上に新設の床材をはり込んで行う方式のリフォームにおいては、通例、既設巾木を取り外した後、新設の床材をはり込み、さらに、新設の巾木の取り付けをなすようにしている。
【０００３】
【発明が解決しようとする課題】
しかるに、かかる従来の手法にあっては、既設巾木の取り外しに相応の手間を要させるものであった。巾木は、通常、釘と接着剤により強固に壁側に取り付けられているからである。
【０００４】
また、かかる従来の手法にあっては、既設巾木を取り外す際に壁を傷つけてしまうことが少なくなく、こうした場合にはさらに壁材のはり替えを必要とさせるものであった。
【０００５】
こうした不都合は、既設巾木を取り外すことなく、既設の床材の上に新設の床材をはり込むようにした場合には生じない。しかし、単純にこのようにした場合、既設巾木と新設の床材との取り合い部分にできるだけ隙間を生じさせないようにする必要があり、その施工に高い精度が必要となる。また、このように新設の床材をはり込ませた場合、この新設の床材と既設巾木との取り合い部分に生じる隙間は縦向きの隙間となるため、この隙間にたまる塵芥によりこの取り合い部分の外観性を経時的に低下させてしまい易い。
【０００６】
そこでこの発明は、既設の床材の上に新設の床材をはり込んで行う方式のリフォームを行う場合において、既設巾木を取り外すことなく、容易かつ仕上がり良くこうしたリフォームを行うことを可能とするリフォーム用巾木材の提供およびリフォーム方法の提供を主たる目的としている。
【０００７】
【課題を解決するための手段】
前記目的を達成するために、請求項１記載の発明にあっては、リフォーム用巾木材が以下の（１）〜（６）の構成を備えたものとした。
（１）既設巾木の前面及び上端面を覆って備え付けられるリフォーム用巾木材であって、
（２）鉛直側巾木構成体と水平側巾木構成体とを有しており、
（３）鉛直側巾木構成体は、
既設巾木の前面への添装面部と、
既設フロア上にはり込まれる新設の床材により形成される新設フロア面に対する突き当て面部と、
既設巾木の上端面より上方に延びる上部とを備えており、
（４）水平側巾木構成体は、
第一板部と、
この第一板部の外面との間にほぼ直角の外隅部を形成させる外面及び第一板部の内面との間にほぼ直角の内隅部を形成させる内面を備えてこの第一板部に連接された第二板部とを備えており、
（５）鉛直側巾木構成体の上部と壁面との間に入れ込まれる水平側巾木構成体の第一板部及び第二板部のいずれか一方の外面が壁面への添装面部とされると共に、
（６）この第一板部及び第二板部の他方の内面が鉛直側巾木構成体の上端面への突き当て面部とされる。
【０００８】
かかる構成によれば、
（１）先ず、鉛直側巾木構成体の突き当て面部を新設フロア面に突き当てさせると共に、この鉛直側巾木構成体の添装面部を既設巾木の前面に添装させることにより、既設巾木の前面を鉛直側巾木構成体により覆うことができる。
（２）また、このように配される鉛直側巾木構成体の上部と壁面との間に、水平側巾木構成体の第一板部及び第二板部のいずれか一方を入れ込むようにし、このように入れ込まれる水平側巾木構成体の第一板部及び第二板部のいずれか一方の添装面部を壁面に添装させると共に、この第一板部及び第二板部の他方の突き当て面部を鉛直側巾木構成体の上端面に突き当てさせることにより、既設巾木の上端面を水平側巾木構成体により覆うことができる。
（３）このように入れ込まれる水平側巾木構成体の第一板部及び第二板部のいずれか一方は、その添装面部を壁面に添装させることから、備え付けられたリフォーム用巾木材と壁面との間に無用な隙間を生じさせることはない。
（４）また、入れ込まれない水平側巾木構成体の第一板部及び第二板部の他方は、その突き当て面部を鉛直側巾木構成体の上端面に突き当てさせることから、鉛直側巾木構成体の上端面上を水平側巾木構成体により覆うことができると共に、鉛直側巾木構成体と水平側巾木構成体との間に無用の隙間を生じさせることもない。
（５）また、既設巾木の厚さに相応して、この既設巾木の前面に添装面部を添装させる鉛直側巾木構成体のこの添装面部と壁面間の間隔は変わることになるが、入れ込まれない水平側巾木構成体の第一板部及び第二板部の他方の突き当て面部の寸法内であれば鉛直側巾木構成体の上端面上を常にこの入れ込まれない水平側巾木構成体の第一板部及び第二板部の他方によって覆うことができ、単一のリフォーム用巾木材によって水平方向の厚さを異ならせる種種の既設巾木をそれぞれ適切にこのリフォーム用巾木材によって覆うことができる。
（６）また、新設フロア面と既設巾木の上端面間の寸法と、鉛直側巾木構成体の突き当て面部と前記のようにこの鉛直側巾木構成体の上部と壁面との間に入れ込まれる水平側巾木構成体の第一板部及び第二板部の一方の下方に向けられる端面との間の寸法とが同じであるか、この後者の寸法が大きい限り、単一のリフォーム用巾木材によって新設フロア面と既設巾木の上端面との間の寸法を異ならせる種種の状況に対応して、この既設巾木の前面及び上端面をそれぞれ適切にこのリフォーム用巾木材によって覆うことができる。
【０００９】
また、請求項２記載の発明にあっては、請求項１記載のリフォーム用巾木材における水平側巾木構成体の第一板部の板厚と第二板部の板厚とが異なっていることを特徴としている。
【００１０】
かかる構成によれば、既設巾木の水平方向の厚さに合わせて、鉛直側巾木構成体の上部と壁面との間に、水平側巾木構成体の第一板部と第二板部のうち、この鉛直側巾木構成体の上部の内面とこの間に入れ込まれる水平側巾木構成体の第一板部及び第二板部のいずれか一方の内面との間にできる限り隙間を形成させない板厚を持った方を入れ込ませるようにすることができる。
【００１１】
また、請求項３記載の発明にあっては、請求項１又は請求項２記載のリフォーム用巾木材がさらに、
一面側に、鉛直側巾木構成体の上部と壁面との間に入れ込まれる水平側巾木構成体の第一板部及び第二板部のいずれか一方の内面への接着面部を備えると共に、
他面側に、水平側巾木構成体の第一板部及び第二板部のいずれか一方の内面に向き合う鉛直側巾木構成体の上部の内面への接着面部を備えたクッション材を有していることを特徴としている。
【００１２】
かかる構成によれば、先ず、クッション材を介して鉛直側巾木構成体の上部の内面と、この鉛直側巾木構成体の上部と壁面との間に入れ込ませることが予定される水平側巾木構成体の第一板部及び第二板部のいずれか一方の内面とを仮組みすることができる。
【００１３】
次いで、このように鉛直側巾木構成体と水平側巾木構成体とを仮組みした状態で、鉛直側巾木構成体の突き当て面部を新設フロア面に突き当てさせ、かつ、この鉛直側巾木構成体の添装面部を既設巾木の前面に添装させると共に、水平側巾木構成体の第一板部及び第二板部のいずれか一方の添装面部を壁面に対しクッション材を圧縮変形させながら押し付け、この状態で壁面及び既設巾木側に釘打ちなどによりリフォーム用巾木材を止め付けることができる。
【００１４】
すなわち、鉛直側巾木構成体の上部の内面とこの間に入れ込まれる水平側巾木構成体の第一板部と第二板部の一方の内面との間に既設巾木の水平方向の厚さに相応して隙間が生じてしまう場合でも、こうした隙間が生じていない状態と同等の状態を前記クッション材により作り出すことができる。
【００１５】
また、請求項４記載の発明にあっては、請求項１又は請求項２記載のリフォーム用巾木材を用いたリフォーム方法が、以下の（１）〜（５）の各工程を含んだものとした。
（１）既設フロア上に新設の床材をはり込んで新設フロア面を形成させた後、
（２）鉛直側巾木構成体の突き当て面部を新設フロア面に突き当てさせ、かつ、この鉛直側巾木構成体の添装面部を既設巾木の前面に添装接着させ、
（３）次いで、鉛直側巾木構成体を既設巾木側に既設巾木の上端面よりも下方において釘打ちし、
（４）次いで、鉛直側巾木構成体の上部と壁面との間に水平側巾木構成体の第一板部及び第二板部のいずれか一方を入れ込み、
（５）この後、既設巾木の上端面の上方において鉛直側巾木構成体の上部とこの鉛直側巾木構成体の上部と壁面との間に入れ込まれた水平側巾木構成体の第一板部及び第二板部のいずれか一方とを一緒に壁面側に釘打ちする。
【００１６】
かかる構成によれば、前記接着により鉛直側巾木構成体によって既設巾木と新設フロア面との取り合い部分および既設巾木の前面を覆った状態を維持させることができる。
【００１７】
次いで、鉛直側巾木構成体に対する既設巾木の上端面よりも下方における釘打ちにより、この鉛直側巾木構成体を既設巾木側に本止めすることができる。
【００１８】
次いで、既設巾木の上端面の上方において鉛直側巾木構成体の上部とこの鉛直側巾木構成体の上部と壁面との間に入れ込まれた水平側巾木構成体の第一板部及び第二板部のいずれか一方とを一緒に壁面側に釘打ちすることにより、水平側巾木構成体を壁面側に止め付けることができると共に、鉛直側巾木構成体をその上部においても壁面側に止め付けることができる。
【００１９】
【発明の実施の形態】
以下、図１ないし図８に基づいて、この発明の典型的な実施の形態について説明する。
【００２０】
なお、ここで図１、図３、図５および図７は、リフォーム用巾木材Ｈとこのリフォーム用巾木材Ｈが備え付けられる既設巾木ｈ側とを、分離して斜視の状態としてそれぞれ示しており、また、図２、図４、図６および図８は、リフォーム用巾木材Ｈを備え付けさせた状態を断面の状態として示している。
【００２１】
この実施の形態にかかるリフォーム用巾木材Ｈおよびリフォーム方法は、既設の床材の上に新設の床材をはり込んで行う方式のリフォームにおいて、既設巾木ｈを取り外すことなく、このリフォームを適切に行えるようにするために用いられるものである。
【００２２】
すなわち、かかるリフォーム用巾木材Ｈは、新設の床材のはり込み後に、既設巾木ｈの前面ｈａ及び上端面ｈｂを覆って備え付けられて、この新設の床材によって形成される新設フロア面ＮＦａと壁面Ｐとの見切りなどをなすように用いられるものである。
【００２３】
かかるリフォーム用巾木材Ｈは、鉛直側巾木構成体１と水平側巾木構成体２とを有している。
【００２４】
この鉛直側巾木構成体１は、
既設巾木ｈの前面ｈａへの添装面部１ａと、
既設フロアＦ上にはり込まれる新設の床材により形成される新設フロア面ＮＦａに対する突き当て面部１ｂと、
既設巾木ｈの上端面ｈｂより上方に延びる上部１ｃとを備えている。
【００２５】
また、水平側巾木構成体２２は、
第一板部２ａと、
この第一板部２ａの外面との間にほぼ直角の外隅部２ｃを形成させる外面を備えてこの第一板部２ａに連接された第二板部２ｂとを備えており、
鉛直側巾木構成体１の上部１ｃと壁面Ｐとの間に入れ込まれる水平側巾木構成体２の第一板部２ａ及び第二板部２ｂのいずれか一方の外面が壁面Ｐへの添装面部２ｅとされると共に、
この第一板部２ａ及び第二板部２ｂの他方の内面が鉛直側巾木構成体１の上端面１ｄへの突き当て面部２ｆとされるように構成されている。
【００２６】
これにより、この実施の形態にかかるリフォーム用巾木材Ｈによれば、
（１）先ず、鉛直側巾木構成体１の突き当て面部１ｂを新設フロア面ＮＦａに突き当てさせると共に、この鉛直側巾木構成体１の添装面部１ａを既設巾木ｈの前面ｈａに添装させることにより、既設巾木ｈの前面ｈａを鉛直側巾木構成体１により覆うことができる。
（２）また、このように配される鉛直側巾木構成体１の上部１ｃと壁面Ｐとの間に、水平側巾木構成体２の第一板部２ａ及び第二板部２ｂのいずれか一方を入れ込むようにし、このように入れ込まれる水平側巾木構成体２の第一板部２ａ及び第二板部２ｂのいずれか一方の添装面部２ｅとなる外面を壁面Ｐに添装させると共に、この第一板部２ａ及び第二板部２ｂの他方の突き当て面部２ｆとなる内面を鉛直側巾木構成体１の上端面１ｄに突き当てさせることにより、既設巾木ｈの上端面ｈｂを水平側巾木構成体２により覆うことができる。
（３）このように入れ込まれる水平側巾木構成体２の第一板部２ａ及び第二板部２ｂのいずれか一方は、その添装面部２ｅとなる外面を壁面Ｐに添装させることから、備え付けられたリフォーム用巾木材Ｈと壁面Ｐとの間に無用な隙間を生じさせることはない。
（４）また、入れ込まれない水平側巾木構成体２の第一板部２ａ及び第二板部２ｂの他方は、その突き当て面部２ｆとなる内面を鉛直側巾木構成体１の上端面１ｄに突き当てさせることから、鉛直側巾木構成体１の上端面１ｄ上を水平側巾木構成体２により覆うことができると共に、鉛直側巾木構成体１と水平側巾木構成体２との間に無用の隙間を生じさせることもない。
（５）また、既設巾木の厚さに相応して、この既設巾木ｈの前面ｈａに添装面部１ａを添装させる鉛直側巾木構成体１のこの添装面部１ａと壁面Ｐ間の間隔は変わることになるが、入れ込まれない水平側巾木構成体２の第一板部２ａ及び第二板部２ｂの他方の突き当て面部２ｆとなる内面の寸法内であれば鉛直側巾木構成体１の上端面１ｄ上を常にこの入れ込まれない水平側巾木構成体２の第一板部２ａ及び第二板部２ｂの他方によって覆うことができ、単一のリフォーム用巾木材Ｈによって水平方向の厚さを異ならせる種種の既設巾木ｈをそれぞれ適切にこのリフォーム用巾木材Ｈによって覆うことができる。
（６）また、新設フロア面ＮＦａと既設巾木ｈの上端面ｈｂ間の寸法と、鉛直側巾木構成体１の突き当て面部１ｂと前記のようにこの鉛直側巾木構成体１の上部１ｃと壁面Ｐとの間に入れ込まれる水平側巾木構成体２の第一板部２ａ及び第二板部２ｂの一方の下方に向けられる端面（２ａ’または２ｂ’）との間の寸法とが同じであるか、この後者の寸法が大きい限り、単一のリフォーム用巾木材Ｈによって新設フロア面ＮＦａと既設巾木ｈの上端面ｈａとの間の寸法を異ならせる種種の状況に対応して、この既設巾木ｈの前面ｈａ及び上端面ｈｂをそれぞれ適切にこのリフォーム用巾木材Ｈによって覆うことができる。
【００２７】
この結果、こうしたリフォームにおいて、既設巾木ｈを取り外す必要がなく、また、こうした取り外しによって壁を痛めることもないので、壁紙の貼り替えなどの施工手間を生じさせることがない。
【００２８】
また、新設の床材により形成される新設フロア面ＮＦａにリフォーム用巾木材Ｈを構成する鉛直側巾木構成体１の突き当て面部１ｂが突き当てられて、このリフォーム用巾木材Ｈによって新設フロア面ＮＦａと既設巾木ｈとの取り合い部分を隠すことができることから、新設の床材のはり込みにあたりこの取り合い部分の施工に高い精度を要することがなく、このはり込みを容易になすことができる。
【００２９】
水平側巾木構成体２および鉛直側巾木構成体１は、既設巾木ｈを前記のように覆った状態で、典型的には、この既設巾木ｈ側に接着や、釘打ちにより、あるいは、接着と釘打ちとの双方を施すことにより、止め付けられる。
【００３０】
かかる水平側巾木構成体２および鉛直側巾木構成体１は、典型的には、木材や、ＭＤＦなどの木質系材料、こうした木質系材料に化粧紙などを貼り付けたもの、などにより構成することができる。
【００３１】
また、実施例２（図３ないし図６）にあっては、水平側巾木構成体２の第一板部２ａの板厚と第二板部２ｂの板厚とが異なっている構成としてある。
【００３２】
このようにした場合、既設巾木ｈの水平方向の厚さに合わせて、鉛直側巾木構成体１の上部１ｃと壁面Ｐとの間に、水平側巾木構成体２の第一板部２ａと第二板部２ｂのうち、この鉛直側巾木構成体１の上部１ｃの内面とこの間に入れ込まれる水平側巾木構成体２の第一板部２ａ及び第二板部２ｂのいずれか一方の内面との間にできる限り隙間を形成させない板厚を持った方を入れ込ませるようにすることができる。
【００３３】
また、実施例３（図７、図８）にあっては、リフォーム用巾木材がさらに、
一面側に、鉛直側巾木構成体１の上部１ｃと壁面Ｐとの間に入れ込まれる水平側巾木構成体２の第一板部２ａ及び第二板部２ｂのいずれか一方の内面への接着面部３ａを備えると共に、
他面側に、水平側巾木構成体２の第一板部２ａ及び第二板部２ｂのいずれか一方の内面に向き合う鉛直側巾木構成体１の上部１ｃの内面への接着面部３ａを備えたクッション材３を有している構成としてある。
【００３４】
このようにした場合、先ず、クッション材３を介して鉛直側巾木構成体１の上部１ｃ内面と、この鉛直側巾木構成体１の上部１ｃと壁面Ｐとの間に入れ込ませることが予定される水平側巾木構成体２の第一板部２ａ及び第二板部２ｂのいずれか一方の内面とを仮組みすることができる。
【００３５】
次いで、このように鉛直側巾木構成体１と水平側巾木構成体２とを仮組みした状態で、鉛直側巾木構成体１の突き当て面部１ｂを新設フロア面ＮＦａに突き当てさせ、かつ、この鉛直側巾木構成体１の添装面部１ａを既設巾木ｈの前面ｈａに添装させると共に、水平側巾木構成体２の第一板部２ａ及び第二板部２ｂのいずれか一方の添装面部２ｅとなる外面を壁面Ｐに対しクッション材３を圧縮変形させながら押し付け、この状態で壁面Ｐ及び既設巾木ｈ側に釘打ちなどによりリフォーム用巾木材Ｈを止め付けることができる。
【００３６】
すなわち、このようにした場合、鉛直側巾木構成体１の上部１ｃの内面とこの間に入れ込まれる水平側巾木構成体２の第一板部２ａと第二板部２ｂの一方の内面との間に既設巾木ｈの水平方向の厚さに相応して隙間が生じてしまう場合でも、こうした隙間が生じていない状態と同等の状態を前記クッション材３により作り出すことができる。
【００３７】
こうしたクッション材３としては、典型的には、両面に接着剤を塗布することによりにより両面に接着面部３ａを備えさせた発泡プラスチック製のシートなどを用いることができる。また、かかるクッション材３の接着面部３ａをそれぞれ、剥離紙３ｂで覆うようにしておけば、その取扱性を向上させることができる。
【００３８】
（実施例１）
図１および図２に示されるリフォーム用巾木材Ｈ１は、水平側巾木構成体２と鉛直側巾木構成体１の２パーツから構成されている。
【００３９】
水平側巾木構成体２および鉛直側巾木構成体１の双方ともに、長尺の板状をなすように構成されている。
【００４０】
水平側巾木構成体２は、第一板部２ａと、この第一板部２ａの外面との間にほぼ直角の外隅部２ｃを形成させる外面を備えてこの第一板部２ａに連接された第二板部２ｂとを備えている。
【００４１】
また、この例にあっては、第二板部２ｂは、第一板部２ａの内面との間にほぼ直角の内隅部２ｄを形成させる内面を備えている。
【００４２】
すなわち、この例にあっては、水平側巾木構成体２は、その幅方向の断面形状をほぼＬ字状とするように構成されている。
【００４３】
また、この例にあっては、外隅部２ｃから第一板部２ａの端面２ａ’までの間の寸法と外隅部２ｃから第二板部２ｂの端面２ｂ’までの間の寸法とは、ほぼ等しくなるように構成されている。
【００４４】
また、この例にあっては、第一板部２ａの外面と内面との間の寸法（第一板部２ａの板厚）と第二板部２ｂの外面と内面との間の寸法（第二板部２ｂの板厚）とはほぼ等しくなるように構成してある。
【００４５】
第一板部２ａの外面または第二板部２ｂの外面のいずれか一方が壁面Ｐへの添装面部２ｅとなる。すなわち、鉛直側巾木構成体１の上部１ｃと壁面Ｐとの間に入れ込まれて縦向きとなる第一板部２ａ及び第二板部２ｂのいずれか一方の外面が壁面Ｐへの添装面部２ｅとなる。
【００４６】
また、第一板部２ａの内面または第二板部２ｂの内面のいずれか一方が鉛直側巾木構成体１の上端面１ｄへの突き当て面部２ｆとなる。すなわち、鉛直側巾木構成体１の上部１ｃと壁面Ｐとの間に入れ込まれないで横向きとなる第一板部２ａ及び第二板部２ｂのいずれか一方の内面が鉛直側巾木構成体１の上端面１ｄへの突き当て面部２ｆとなる。
【００４７】
鉛直側巾木構成体１は、その下端面（突き当て面部１ｂ）を新設フロア面ＮＦａに突き当てさせた状態において既設巾木ｈの上端面ｈｂより上方に延びる上部１ｃを有している。そして、この突き当て面部１ｂと上端面１ｄとの間にある背面を既設巾木ｈの前面ｈａに対する添装面部１ａとしている。
【００４８】
この例にあっては、この鉛直側巾木構成体１の上端面１ｄおよび突き当て面部１ｂは、いずれも水平面として構成されている。
【００４９】
また、この例にあっては、鉛直側巾木構成体１の上部１ｃであって、その前面側には上方に向いた段差面１ｅが形成されており、この段差面１ｅとその上端面１ｄとの間に、凹部底面を前方に向けた凹部１ｆが形成されるように構成されている。
【００５０】
また、この例にあっては、鉛直側巾木構成体１の前記凹部１ｆ以外の水平方向の板厚は、水平側巾木構成体２の第一板部２ａおよび第二板部２ｂの前記板厚とほぼ等しくなうように構成されている。
【００５１】
既設フロアＦ上に新設の床材をはり込み新設フロアＮＦを形成させた後、新設フロア面ＮＦａに鉛直側巾木構成体１の突き当て面部１ｂを突き当てさせ、かつ、この鉛直側巾木構成体１の添装面部１ａを既設巾木ｈの前面ｈａに添装させて、先ず、鉛直側巾木構成体１を釘打ちなどして既設巾木ｈ側に備え付けさせる。
この後、水平側巾木構成体２の第一板部２ａ及び第二板部２ｂのいずれか一方を、鉛直側巾木構成体１の上部１ｃと壁面Ｐとの間に入れ込ませると共に、このように入れ込ませた第一板部２ａ及び第二板部２ｂのいずれか一方の外面、つまり、添装面部２ｅを壁面Ｐに添装させ、かつ、入れ込まれていない第一板部２ａ及び第二板部２ｂの他方の内面、つまり、突き当て面部２ｆを鉛直側巾木構成体１の上端面１ｄに突き当てさせるようにセッティングする。そして、この後、前記凹部１ｆなどを利用して、水平側巾木構成体２を釘打ちなどして壁面Ｐ側に備え付けさせる。
これにより、この例にかかるリフォーム用巾木材Ｈ１によって、既設巾木ｈの上端面ｈｂと前面ｈａとを覆うことができると共に、既設巾木ｈと新設フロア面ＮＦａとの取り合い部分を覆い隠すことができる。
【００５２】
（実施例２）
図３ないし図６に示されるリフォーム用巾木材Ｈ２にあっては、第一板部２ａの外面と内面との間の寸法（第一板部２ａの板厚）が、第二板部２ｂの外面と内面との間の寸法（第二板部２ｂの板厚）よりも小さくなるように構成してある。
【００５３】
既設巾木ｈの水平方向の厚さが第二板部２ｂの厚さとほぼ等しいか、これよりやや大きい場合には、鉛直側巾木構成体１の上部１ｃと壁面Ｐとの間にこの第二板部２ｂを入れ込むようにする。（図３及び図４）これにより、鉛直側巾木構成体１の上部１ｃの内面と水平側巾木構成体２の第二板部２ｂの内面との間にできる限り隙間を作らないようにすることができる。
【００５４】
既設巾木ｈの水平方向の厚さが第一板部２ａの厚さとほぼ等しいか、これよりやや大きい場合には、鉛直側巾木構成体１の上部１ｃと壁面Ｐとの間にこの第一板部２ａを入れ込むようにする。（図５及び図６）これにより、鉛直側巾木構成体１の上部１ｃの内面と水平側巾木構成体２の第一板部２ａの内面との間にできる限り隙間を作らないようにすることができる。
【００５５】
この例にかかるリフォーム用巾木材Ｈ２のその余の構成は、実施例１のリフォーム用巾木材Ｈ１の構成と同一または実質的に同一であるので、この同一または実質的に同一の構成部分については実施例１を示す各図に用いた符号と同一の符号を実施例２を示す各図に付してその説明を省略する。
【００５６】
（実施例３）
図７および図８に示されるリフォーム用巾木材Ｈ３にあっては、リフォーム用巾木材Ｈ３が、鉛直側巾木構成体１と、水平側巾木構成体２と、前記クッション材３をから構成されている。
【００５７】
この例では、クッション材３は、両面に剥離紙３ｂで覆われた接着面部３ａをそれぞれ備えた帯状のシート体として構成されている。
【００５８】
また、この例にあっては、第一板部２ａの外面と内面との間の寸法（第一板部２ａの板厚）が、第二板部２ｂの外面と内面との間の寸法（第二板部２ｂの板厚）よりも小さくなるように構成してある。
【００５９】
図示の例では、既設巾木ｈの水平方向の厚さが、第一板部２ａの板厚と第二板部２ｂの板厚とのほぼ中間の厚さを持つようになっているが、鉛直側巾木構成体１の上部１ｃの内面と第一板部２ａの内面との間に前記クッション材３を介装させると共に、このクッション材３を圧縮変形させた状態で鉛直側巾木構成体１と水平側巾木構成体２を壁面Ｐ側に止め付けることによりこの鉛直側巾木構成体１の上部１ｃの内面と第一板部２ａの内面との間に隙間が生じていない状態と同等の状態を作り出させている。
【００６０】
この例にかかるリフォーム用巾木材Ｈ３のその余の構成は、実施例１のリフォーム用巾木材Ｈ１の構成と同一または実質的に同一であるので、この同一または実質的に同一の構成部分については実施例１を示す各図に用いた符号と同一の符号を実施例３を示す各図に付してその説明を省略する。
【００６１】
（リフォーム方法）
次いで、以上に説明したリフォーム用巾木材Ｈ１、Ｈ２を用いたリフォーム方法について説明する。
（１）先ず、既設フロアＦ上に新設の床材をはり込んで新設フロア面ＮＦａを形成させる。
（２）次いで、鉛直側巾木構成体１の突き当て面部１ｂを新設フロア面ＮＦａに突き当てさせ、かつ、この鉛直側巾木構成体１の添装面部１ａを既設巾木ｈの前面ｈａに添装接着させる。
かかる接着剤としては、例えば、一液性エポキシ変性弾性接着剤（セメダイン株式会社製造の商品名をＰＭ１６５−Ｒとする接着剤など）や、一液性特殊変性ポリマー弾性接着剤（セメダイン株式会社製造の商品名をＳＧ−１とする接着剤など）を用いることができる。
これにより、前記接着により鉛直側巾木構成体１によって既設巾木ｈと新設フロア面ＮＦａとの取り合い部分および既設巾木ｈの前面ｈａを覆った状態を維持させることができる。
（３）次いで、鉛直側巾木構成体１を既設巾木ｈ側に既設巾木ｈの上端面ｈｂよりも下方において釘打ちする。
これにより、鉛直側巾木構成体１に対する既設巾木ｈの上端面ｈｂよりも下方における釘打ちにより、この鉛直側巾木構成体１を既設巾木ｈ側に本止めすることができる。
（４）次いで、鉛直側巾木構成体１の上部１ｃと壁面Ｐとの間に水平側巾木構成体２の第一板部２ａ及び第二板部２ｂのいずれか一方を入れ込む。
（５）この後、既設巾木ｈの上端面ｈｂの上方において鉛直側巾木構成体１の上部１ｃとこの鉛直側巾木構成体１の上部１ｃと壁面Ｐとの間に入れ込まれた水平側巾木構成体２の第一板部２ａ及び第二板部２ｂのいずれか一方とを一緒に壁面Ｐ側に釘打ちする。
【００６２】
これにより、既設巾木ｈの上端面ｈｂの上方において鉛直側巾木構成体１の上部１ｃとこの鉛直側巾木構成体１の上部１ｃと壁面Ｐとの間に入れ込まれた水平側巾木構成体２の第一板部２ａ及び第二板部２ｂのいずれか一方とを一緒に壁面Ｐ側に釘打ちすることにより、水平側巾木構成体２を壁面Ｐ側に止め付けることができると共に、鉛直側巾木構成体１をその上部１ｃにおいても壁面Ｐ側に止め付けることができる。この釘打ちを、前記凹部１ｆを利用してなせば、釘頭が目立ち難く、見栄えの良い施工をなすことができる。
【００６３】
以上の釘打ちにあたっては、釘打ち箇所に予め釘頭より小さめの下穴をあけておくことが好ましい。このように下穴をあけておけば、釘打ちしやすく、また、釘打ちにあたっての割れを生じ難くすることができる。
【００６４】
【発明の効果】
この発明にかかるリフォーム用巾木材及びこの巾木材を用いたリフォーム方法によれば、既設の床材の上に新設の床材をはり込んで行う方式のリフォームを行う場合において、既設巾木を取り外すことなく、容易かつ仕上がり良くこうしたリフォームを行うことができる。また、既設巾木の取り外しを要させないことから、こうしたリフォームを必要最小限度のものとして実施でき、その工期の短縮化と費用の低廉化に資するものである。
【図面の簡単な説明】
【図１】実施例１に係るリフォーム用巾木材Ｈ１の分離斜視図
【図２】実施例１に係るリフォーム用巾木材Ｈ１の備え付け状態を示す断面構成図
【図３】実施例２に係るリフォーム用巾木材Ｈ２の分離斜視図
【図４】実施例２に係るリフォーム用巾木材Ｈ２の備え付け状態を示す断面構成図
【図５】実施例２に係るリフォーム用巾木材Ｈ２の分離斜視図
【図６】実施例２に係るリフォーム用巾木材Ｈ２の備え付け状態を示す断面構成図
【図７】実施例３に係るリフォーム用巾木材Ｈ３の分離斜視図
【図８】実施例３に係るリフォーム用巾木材Ｈ３の備え付け状態を示す断面構成図
【符号の説明】
ｈ  既設巾木
ｈａ  前面
ｈｂ  上端面
Ｆ  既設フロア
ＮＦａ  新設フロア面
Ｈ  リフォーム用巾木材
１  鉛直側巾木構成体
１ａ  添装面部
１ｂ  突き当て面部
１ｄ  上端面
２  水平側巾木構成体
２ａ  第一板部
２ｂ  第二板部
２ｃ  外隅部
２ｅ  添装面部
２ｆ  突き当て面部
【図１】
0003942449.tif 000002
【図２】
0003942449.tif 000003
【図３】
0003942449.tif 000004
【図４】
0003942449.tif 000005
【図５】
0003942449.tif 000006
【図６】
0003942449.tif 000007
【図７】
0003942449.tif 000008
【図８】
0003942449.tif 000009